(57)【要約】【課題】ホースの生産性を阻害することなく、故障時の交換や修理が容易な情報集積フランジを提供する。【解決手段】ホースフランジ１１に接続される単体のフランジ５であって、ホース１０に取り付けられた情報検出装置１２から伝達された情報を集積する機能を有する情報集積フランジ。具体的には、例えば、フランジ５Ａ，５Ｂ間のパイプ５Ｃに設けた水密構造の機器収納部９の内部に、ホース１０から伝達された情報の記録装置６、ホース１０から伝達された情報の発信装置７、ホース１０の状態検出装置８等を収納する。【選択図】  図２
2004239280.tif 000002
【特許請求の範囲】
【請求項１】
ホースフランジ（１１）に接続される単体のフランジ（５）であって、ホース（１０）に取り付けられた情報検出装置（１２）から伝達された情報を集積する機能を有することを特徴とする情報集積フランジ。
【請求項２】
ホース（１０）から伝達された情報の記録装置（６）が取り付けられていることを特徴とする請求項１に記載の情報集積フランジ。
【請求項３】
ホース（１０）から伝達された情報の発信装置（７）が取り付けられていることを特徴とする請求項１又は２に記載の情報集積フランジ。
【請求項４】
ホース（１０）の状態検出装置（８）が取り付けられていることを特徴とする請求項１から３のいずれか１項に記載の情報集積フランジ。
【請求項５】
機器収納部（９）を有することを特徴とする請求項１から４のいずれか１項に記載の情報集積フランジ。
【請求項６】
機器収納部（９）が水密構造になっていることを特徴とする請求項５に記載の情報集積フランジ。
【発明の詳細な説明】
【０００１】
【発明の属する技術分野】
本発明は、ホースに取り付けられた情報検出装置から伝達された情報を記録、発信等することができる情報集積フランジに関するものである。
【０００２】
【従来の技術】
従来から、原油を輸送するマリンホースにおいて、ホースの疲労度を推定できるようにしたものが知られている。即ち、ホースの外面ゴムが損傷して周囲の海水がホース内に浸入したり、内面ゴムが損傷して原油等の輸送流体が漏れ出したりすると、液体が補強繊維層に染み込んで耐圧力を低下等させ、終局的には破壊に至ることがある。そのため、ホースが破壊する前にホースを交換すべく、ホースの疲労度を推定できるようにしたものである。
【０００３】
このような疲労推定ホースとして、例えば、ホースに加わった外力によってホース内に生ずる応力を検知し、応力値に対応した電気信号を出力する応力検知センサを備えたものがある。そして、検知された応力をトランスポンダの情報記憶手段によって記憶し、送受信用アンテナによって記憶された応力を読み出すようにしている（例えば、特許文献１参照。）。
【０００４】
【特許文献１】
特開平１１−１５３２８４号公報  （第２−７頁、図２、図８）
【０００５】
【発明が解決しようとする課題】
しかしながら、特許文献１に記載のホースのようにトランスポンダをホース内に設置すると、製造上の問題が生ずる。即ち、マリンホースのようなゴムホースの製造では、ゴムの加硫のために熱と圧力（蒸気）が加えられる。これは、電気機器にとって非常に厳しい環境であり、製造不良の原因となる。
【０００６】
また、ホースの使用中にトランスポンダが故障した場合、トランスポンダがホース内に設置されていると、その交換や修理はほぼ不可能である。そのため、一度トランスポンダが故障すると、もはやホース疲労度の推定ができなくなり、早期にホースを交換せざるを得なくなるという問題がある。
【０００７】
そこで本発明は、ホースの生産性を阻害することなく、故障時の交換や修理が容易な情報集積フランジを提供することを目的とするものである。
【０００８】
【課題を解決するための手段】
本発明は、以上の課題を解決するためになされたものであって、その要旨は、ホースフランジに接続される単体のフランジであって、ホースに取り付けられた情報検出装置から伝達された情報を集積する機能を有する情報集積フランジに係るものである。
【０００９】
なお、情報集積フランジには、ホースから伝達された情報の記録装置、情報の発信装置、ホースの状態検出装置等を取り付けることができる。また、情報集積フランジには、これらの装置を収納する機器収納部を設けることもでき、この場合、機器収納部は水密構造にすることが好ましい。
【００１０】
【発明の実施の形態】
本発明の情報集積フランジは、ホースフランジに接続される単体のフランジである。即ち、ホースの両端に取り付けられているフランジではなく、ホースのないフランジ単体のものである。そして、この単体のフランジに、ホースに取り付けられた情報検出装置から伝達された情報を集積する機能を持たせている。そのため、情報集積機能がホースから分離されることとなり、その結果、ホース製造時における問題が解消するのである。
【００１１】
この点につき更に詳述すると、マリンホースのようなゴムホースの製造では、ゴムの加硫のために熱と圧力（蒸気）が加えられるが、これは電気機器にとって非常に厳しいものである。そのため、電気機器によって情報集積機能を持たせる場合、電気機器がホース側にあると製造不良の原因になってしまう。
【００１２】
そこで、本発明では情報集積機能をホースとは別体のフランジに持たせることにより、ホースの製造とは全く無関係に製作できるようにすることで、電気機器の初期故障を回避すると共に、ホースの生産性を阻害しないようにしている。
【００１３】
また、情報集積機能を有するホースとした場合、故障の際の交換・修理が困難で故障時の制約や機能上の制約も多くなるが、ホースとは別体のフランジが情報集積機能を有していれば、交換・修理も非常に容易で、より高度な情報の採取・記録・発信等ができるようになる。即ち、情報検出装置から伝達された情報を集積する様々な装置、例えば、情報の記録装置、情報の発信装置、ホースの状態検出装置等を取り付けることができる。
【００１４】
また、これらの装置はフランジ表面に露出させて取り付けることもできるが、装置の保護のために機器収納部を設けてその内部に取り付けることが好ましい。なお、マリンホース等にあっては、機器収納部を水密構造にすることにより、内部機器を海水等から保護しておく。
【００１５】
【実施例】
以下、本発明の好ましい実施の形態の具体例を図面に基づいて説明する。図１は、本発明の情報集積フランジの一例を示す正面図及び側面図であり、図２は、図１に示す実施例の情報集積フランジを接続したホースを示す側面図である。図１に示すように、本発明の情報集積フランジは単体のフランジ５であって、図２に示すホースフランジ１１に接続される左右のフランジ５Ａ，５Ｂと、その間に強固に溶接されたパイプ５Ｃとで構成されている。
【００１６】
そして、パイプ５Ｃの外面に機器収納部９が設けられており、機器収納部９の内部には、ホース１０から伝達された情報（応力や歪み等）の記録装置６（記録計等）、ホース１０から伝達された情報の発信装置７（発信機等）、ホース１０の状態検出装置８（加速度センサーや張力計等）が収納されている。なお、これらの装置を作動させるバッテリー、ホース１０に設置された情報検出装置１２（センサー等）のアンプ、情報検出装置１２と電気的に接続するための水密コネクタも取り付けられている。
【００１７】
また、機器収納部９は水密構造になっており、マリンホースに接続して使用しても支障が生じないようになっている。更に、パイプ５Ｃの内径はホース１０の内径と同等程度で、左右のフランジ５Ａ，５Ｂの耐圧はホースフランジ１１と同じになっており、原油の輸送に支障をきたすことがないようになっている。
【００１８】
次に、図２に基づいて、図１に示す実施例の情報集積フランジの使用態様について説明する。即ち、ホース１０は通常その両端のホースフランジ１１によって相互に接続されるが、情報集積フランジを使用する場合には、左右のホースフランジ１１を直接連結するのではなく、図１に示す単体のフランジ５（情報集積フランジ）を介して連結する。
【００１９】
ここで、ホース１０には、応力や歪みを測定するセンサーである情報検出装置１２が設置されており、その情報は水密コネクタを介して機器収納部９内の記録装置６に集積される。また、この情報と状態検出装置８によって得られた情報は発信装置７によって外部に送信される。
【００２０】
従って、外部からホース１０の疲労度等が推定でき、ホース１０が破壊する前の適当な時期に新しいホースに交換しておくことが可能となる。しかも、情報集積機能をホース１０とは別体のフランジ５に持たせているので、記録装置６、発信装置７、状態検出装置８等に悪影響を与えることなくホース１０を製造することができ、これらの装置が故障した場合にもフランジ５を交換等するだけで対処することができる。
【００２１】
【発明の効果】
以上説明したように、本発明の情報集積フランジは、ホースフランジに接続される単体のフランジであって、ホースに取り付けられた情報検出装置から伝達された情報を集積する機能を有するので、センサ等の情報検出装置によって疲労度等を推定できるようにしたホースの生産性を阻害することなく、情報検出装置から伝達された情報を集積する装置が故障した場合であっても、その交換や修理が容易になる。
【図面の簡単な説明】
【図１】図１は、本発明の情報集積フランジの一例を示す正面図及び側面図である。
【図２】図２は、図１に示す実施例の情報集積フランジを接続したホースを示す側面図である。
【符号の説明】
５‥フランジ
５Ａ‥フランジ（左）
５Ｂ‥フランジ（右）
５Ｃ‥パイプ
６‥記録装置
７‥発信装置
８‥状態検出装置
９‥機器収納部
１０‥ホース
１１‥ホースフランジ
１２‥情報検出装置
【図１】
2004239280.tif 000003
【図２】
2004239280.tif 000004